(57)【要約】【課題】チェックピンの短絡を防止することができるテスタ用補助具を得る。【解決手段】２本の端子間の測定に用いられるテスタのプローブに取り付けられるテスタ用補助具であって、プローブが挿入される絶縁性の本体部と、本体部に設けられ、本体部の内部でプローブと電気的に接続されて、接触面で２本の端子の一方と接触する導体部とを備え、接触面の最長部の長さが、２本の端子の端子間隔よりも短いものである。【選択図】図１
2017036943.tif 000002
【特許請求の範囲】
【請求項１】
２本の端子間の測定に用いられるテスタのプローブに取り付けられるテスタ用補助具であって、
前記プローブが挿入される絶縁性の本体部と、
前記本体部に設けられ、前記本体部の内部で前記プローブと電気的に接続されて、接触面で前記２本の端子の一方と接触する導体部と、を備え、
前記接触面の最長部の長さが、前記２本の端子の端子間隔よりも短い
テスタ用補助具。
【請求項２】
前記導体部の前記接触面には、前記端子を引っ掛けるための溝が設けられている
請求項１に記載のテスタ用補助具。
【請求項３】
前記溝は、くの字状の断面形状を有している
請求項２に記載のテスタ用補助具。
【請求項４】
前記テスタ用補助具を、前記導体部が互い違いになるように２個重ね、２個の前記本体部の間に軸を設けて、２個の前記テスタ用補助具を回動可能に支持した
請求項１から請求項３までの何れか１項に記載のテスタ用補助具。
【請求項５】
前記本体部の前記導体部が設けられる面が、互いに対向するように面取りされている
請求項４に記載のテスタ用補助具。
【請求項６】
前記テスタ用補助具を、前記導体部が互いに対向するように２個並べ、２個の前記本体部の間に軸を設けて、２個の前記テスタ用補助具を回動可能に支持した
請求項１から請求項３までの何れか１項に記載のテスタ用補助具。
【請求項７】
２個の前記テスタ用補助具が閉じるように作用するばねをさらに備えた
請求項４から請求項６までの何れか１項に記載のテスタ用補助具。
【請求項８】
前記本体に取り付けられた操作用の持ち手をさらに備えた
請求項４から請求項７までの何れか１項に記載のテスタ用補助具。
【発明の詳細な説明】
【技術分野】
【０００１】
この発明は、２本の端子間の電圧等を測定するテスタのプローブに取り付けられるテスタ用補助具に関する。
【背景技術】
【０００２】
例えば、ビルの設備管理等に用いられるローカルコントローラやＩＤコントローラには、電圧測定用の端子である２本のチェックピンが設けられている。ここで、ローカルコントローラやＩＤコントローラの電圧を測定する場合には、図５に示されるように、テスタの２本のプローブ５１を２本のチェックピン５２のそれぞれに当てる必要がある。
【０００３】
しかしながら、チェックピンは非常に小さく、長さが５ｍｍ程度で間隔が５〜１０ｍｍ程度であることから、電圧を測定する際に、誤って１つのプローブが２本のチェックピンに触れてチェックピンを短絡させてしまい、コントローラが故障することがあった。なお、テスタを用いた測定を補助する技術として、以下のものが知られている。
【０００４】
例えば、２本の保持具本体の先端部にそれぞれ設けられてテスタリード棒を保持する２箇所のテスタリード棒保持具と、２本の保持具本体の先端部の反対側を交差支持する支軸と、２本の保持具本体を、支軸を支点として開脚させるように働くばねとを備えた簡易型テスタリード棒保持具が知られている（例えば、特許文献１参照）。
【０００５】
このテスタリード棒保持具によれば、コンパス状の形状とすることにより、テスタリード棒の操作を容易にし、片方の手で各種の電子部品を測定することができるので、測定の迅速性および測定値の信頼性を確保することができる。
【先行技術文献】
【特許文献】
【０００６】
【特許文献１】実開平４−１５０６７号公報
【発明の概要】
【発明が解決しようとする課題】
【０００７】
しかしながら、従来技術には、以下のような課題がある。
すなわち、特許文献１に記載のテスタリード棒保持具では、テスタリード棒の操作性は向上するものの、プローブがむき出しになっているので、チェックピンの短絡を防止することができないという問題がある。
【０００８】
この発明は、上記のような課題を解決するためになされたものであり、チェックピンの短絡を防止することができるテスタ用補助具を得ることを目的とする。
【課題を解決するための手段】
【０００９】
この発明に係るテスタ用補助具は、２本の端子間の測定に用いられるテスタのプローブに取り付けられるテスタ用補助具であって、プローブが挿入される絶縁性の本体部と、本体部に設けられ、本体部の内部でプローブと電気的に接続されて、接触面で２本の端子の一方と接触する導体部とを備え、接触面の最長部の長さが、２本の端子の端子間隔よりも短いものである。
【発明の効果】
【００１０】
この発明に係るテスタ用補助具によれば、プローブが挿入される絶縁性の本体部に設けられ、本体部の内部でプローブと電気的に接続されて、接触面で２本の端子の一方と接触する導体部において、接触面の最長部の長さが、２本の端子の端子間隔よりも短くなっている。そのため、チェックピンの短絡を防止することができる。
【図面の簡単な説明】
【００１１】
【図１】この発明の実施の形態１に係るテスタ用補助具を示す斜視図である。
【図２】この発明の実施の形態１に係るテスタ用補助具の導体部を拡大して示す斜視図である。
【図３】この発明の実施の形態２に係るテスタ用補助具を示す構成図である。
【図４】この発明の実施の形態３に係るテスタ用補助具を示す構成図である。
【図５】テスタを用いてチェックピンの端子間電圧を測定する方法を示す説明図である。
【発明を実施するための形態】
【００１２】
以下、この発明に係るテスタ用補助具の好適な実施の形態につき図面を用いて説明するが、各図において同一、または相当する部分については、同一符号を付して説明する。なお、この発明の各実施の形態において、テスタ用補助具は、テスタのリード棒先端のプローブに取り付けられて、図５に示したチェックピンのような、２本の端子間の測定を補助するものである。
【００１３】
実施の形態１．
図１は、この発明の実施の形態１に係るテスタ用補助具を示す斜視図である。図１において、テスタ用補助具１０は、テスタのプローブ（図示せず）が挿入される絶縁性の本体部１１と、本体部１１に設けられ、本体部１１の内部でプローブと電気的に接続されて、接触面で２本のチェックピンの一方と接触する導体部１２とを備えている。
【００１４】
ここで、本体部１１は、例えばプラスチックやゴム等の絶縁体で構成されている。なお、本体部１１は、リード棒先端のプローブだけでなく、リード棒の一部も覆うような形状を有している。また、本体部１１からプローブが抜けてしまうことを防止するために、本体部１１の挿入口にゴム等で滑り止めを設けてもよい。
【００１５】
また、導体部１２は、例えば金属等の導体で構成されている。なお、導体部１２の接触面は、露出している導体部１２の表面（図１の斜線部分）である。また、本体部１１の内部には、プローブと接する位置に配線（図示せず）が形成され、導体部１２と電気的に接続されている。
【００１６】
また、導体部１２において、接触面の最長部の長さが、２本のチェックピンの端子間隔よりも短くなっている。すなわち、導体部１２の接触面において、最も長い対角線の長さが、チェックピンの端子間隔よりも短くなっている。このように、チェックピンに対する接触箇所が限定されていることにより、チェックピンの短絡を防止することができる。
【００１７】
図２は、この発明の実施の形態１に係るテスタ用補助具の導体部を拡大して示す斜視図である。図２において、導体部１２の接触面には、図の上下方向および左右方向にチェックピンを引っ掛けるための溝１２１が設けられている。このように、接触面に溝１２１を設けることにより、チェックピンが溝１２１に引っ掛かって接触面と接触しやすくなるので、測定を容易に行うことができる。
【００１８】
また、溝１２１は、くの字状の断面形状を有している。このように、溝１２１がくの字状の断面形状を有していることにより、チェックピンの形状（四角柱形状や円柱形状）によらず、チェックピンを引っ掛けやすくなる。なお、溝１２１の向きや形状は、図２に示したものに限定されず、チェックピンに対するプローブの当て方やチェックピンの形状等に応じて、任意に決定することができる。
【００１９】
以下、図１、２を参照しながら、テスタ用補助具１０の実際の使い方について説明する。まず、２個のテスタ用補助具１０を用意する。続いて、２個のテスタ用補助具１０をテスタの２本のプローブのそれぞれに取り付ける。次に、２個のテスタ用補助具１０を２本のチェックピンのそれぞれに当てて、測定を行う。
【００２０】
このとき、導体部１２の接触面において、最長部の長さが、チェックピンの端子間隔よりも短くなっているので、チェックピンの短絡が生じることがない。また、導体部１２の接触面には、くの字状の断面形状を有する溝１２１が設けられているので、縦方向からでも横方向からでも測定を容易に行うことができる。
【００２１】
以上のように、実施の形態１によれば、プローブが挿入される絶縁性の本体部１１に設けられ、本体部１１の内部でプローブと電気的に接続されて、接触面で２本の端子の一方と接触する導体部１２において、接触面の最長部の長さが、２本の端子の端子間隔よりも短くなっている。
そのため、チェックピンに対する接触箇所が限定されており、チェックピンの短絡を防止することができる。
【００２２】
実施の形態２．
図３は、この発明の実施の形態２に係るテスタ用補助具を示す構成図である。図３において、テスタ用補助具２０は、図１に示したテスタ用補助具１０を２個組み合わせたはさみ形状を有している。
【００２３】
具体的には、テスタ用補助具２０は、図１に示したテスタ用補助具１０を、導体部１２が互い違いになるように２個重ね、本体部１１の長さ方向の中間付近に、２個のテスタ用補助具１０を貫通するように支軸２１を設けて、２個のテスタ用補助具１０を回動可能に支持した構成を有している。
【００２４】
また、本体部１１の、支軸２１に対して導体部１２の反対側には、はさみ形状のテスタ用補助具２０が閉じるように作用する引きばね２２が取り付けられている。さらに、本体部１１の引きばね２２とは反対側には、操作用の持ち手２３が取り付けられている。なお、２個のテスタ用補助具１０の繋げ方は、図３に示したものに限定されない。
【００２５】
以下、図３を参照しながら、テスタ用補助具２０の実際の使い方について説明する。まず、テスタの２本のプローブを、テスタ用補助具２０の本体部１１にそれぞれ挿入する。続いて、持ち手２３に指を入れてテスタ用補助具２０を開き、２本のチェックピンを挟み込んで測定を行う。そのため、テスタ用補助具２０は、チェックピンの端子間隔よりも少し広めに開くようになっていればよい。
【００２６】
以上のように、実施の形態２によれば、上述した実施の形態１と同様の効果を得ることができる。また、テスタ用補助具２０は、テスタの２本のプローブが挿入されるはさみ形状を有していることから、片手で操作して測定を行うことができる。さらに、テスタ用補助具２０には、閉じる方向に作用する引きばね２２および操作用の持ち手２３が取り付けられていることから、操作性を向上させることができる。
【００２７】
なお、上記実施の形態２に示したテスタ用補助具２０では、閉じたときに導体部１２どうしが当たらない構造となっていることから、縦方向からチェックピンを挟む場合に、チェックピンを引っ掛けることが困難であることが考えられる。そこで、本体部１１の導体部１２が設けられる面を、互いに対向するように面取りした後に、導体部１２を設けることが考えられる。
【００２８】
実施の形態３．
図４は、この発明の実施の形態３に係るテスタ用補助具を示す構成図である。図４において、テスタ用補助具３０は、図１に示したテスタ用補助具１０を２個組み合わせた洗濯ばさみ形状を有している。
【００２９】
具体的には、テスタ用補助具３０は、図１に示したテスタ用補助具１０を、導体部１２が互いに対向するように２個並べ、本体部１１の長さ方向中間付近から導体部１２側に突出した突出部３１のそれぞれを貫通するように支軸３２を設けて、２個のテスタ用補助具１０を回動可能に支持した構成を有している。
【００３０】
また、本体部１１の、突出部３１に対して導体部１２の反対側には、洗濯ばさみ形状のテスタ用補助具３０が閉じるように作用する押しばね３３が取り付けられている。さらに、本体部１１の押しばね３３とは反対側には、操作用の持ち手３４が取り付けられている。なお、２個のテスタ用補助具１０の繋げ方は、図４に示したものに限定されない。
【００３１】
以下、図４を参照しながら、テスタ用補助具３０の実際の使い方について説明する。まず、テスタの２本のプローブを、テスタ用補助具３０の本体部１１にそれぞれ挿入する。続いて、持ち手３４に指を入れてテスタ用補助具３０を開き、２本のチェックピンを挟み込んで測定を行う。そのため、テスタ用補助具３０は、チェックピンの端子間隔よりも少し広めに開くようになっていればよい。
【００３２】
以上のように、実施の形態３によれば、上述した実施の形態１と同様の効果を得ることができる。また、テスタ用補助具３０は、テスタの２本のプローブが挿入される洗濯ばさみ形状を有していることから、片手で操作して測定を行うことができる。さらに、テスタ用補助具３０には、閉じる方向に作用する押しばね３３および操作用の持ち手３４が取り付けられていることから、操作性を向上させることができる。
【００３３】
なお、上記実施の形態１〜３では、テスタ用補助具１０の本体部１１が四角柱形状であり、四角柱の先端部の１つの面に導体部１２が設けられている場合を例に挙げて説明した。しかしながら、これに限定されず、テスタ用補助具の本体部が円柱形状であって、円柱の先端部において、周方向の一部に導体部が設けられていてもよい。
【符号の説明】
【００３４】
１０  テスタ用補助具、１１  本体部、１２  導体部、２０  テスタ用補助具、２１  支軸、２２  引きばね、２３  持ち手、３０  テスタ用補助具、３１  突出部、３２  支軸、３３  押しばね、３４  持ち手、１２１  溝。
【図１】
2017036943.tif 000003
【図２】
2017036943.tif 000004
【図３】
2017036943.tif 000005
【図４】
2017036943.tif 000006
【図５】
2017036943.tif 000007